(57)【特許請求の範囲】
【請求項１】
爪先部が無く、踵から膝上方位置までのレッグ部のみからなり、脚の静脈還流を促進して脚のむくみ除去・低減用として就寝時に着用されるものであり、
膝部、膝裏部および踵部を除く部分は地編み部に弾性糸を挿入して１０〜１８ｈＰａの緊締力を有する伸縮性編地からなる緊締部とし、該緊締部の足首部の緊締力は１５〜１８ｈＰａ、ふくらはぎ部の緊締力は１０〜１４ｈＰａの緊締力を有するものとし、
前記膝部は他の部位より伸び率を大とした高伸縮性編地とし、編組織は立体編みとして膝の形状に合わせて膨出させ、
前記膝裏部は他の部位より通気性を大とした高通気性編地とし、
前記踵部は他の部位より気密性を大とした高気密性部位とし、該高気密性部位は前記伸縮性編地の肌側内面側あるいは外側面に隙間をあけて樹脂層を接着し、または前記伸縮性編地に樹脂を含浸させて形成していることを特徴とするレッグウェア。
【請求項２】
前記踵部は肌側内面側にアクリル樹脂からなる前記樹脂層を設けると共に、前記樹脂層は踵部の幅方向を長さ方向とする帯状とし、該帯状の幅を６〜１２ｍｍ且つ厚さを３００〜５００μｍとした樹脂層を前記踵部の前後方向に２〜４ｍｍの隙間をあけて複数本配置している請求項１に記載のレッグウェア。
【発明の詳細な説明】
【技術分野】
【０００１】
本発明はレッグウェアに関し、特に、脚のむくみを解消・低減するために就寝時に着用するレッグウェアとして好適に用いられ、脚を圧迫しない程度の快適な緊締力を有しながら、脚の動きに追従しやすく、膝裏の蒸れや踵の乾燥も防止するものである。
【背景技術】
【０００２】
近年、レッグ部に緊締力を持たせてサポート性やフィット性を高めたレッグウェアが普及している。例えば、特許第２８２２０９０号公報には、図５に示すように、土踏まず部２、足首部３、ふくらはぎ部４、大腿部５の着圧を所定範囲とし、土踏まず部２から大腿部５にかけて緊締力を順次弱くすることにより、サポート性、フィット性と共に、着用感も改善したパンティストッキング１が提案されている。
【０００３】
しかし、前記のような緊締力を有するレッグウェアは、編地にパワーを持たせているため編地が硬く厚くなりやすく、膝の屈伸など脚の動きに追従しにくいという問題がある。また、膝裏には蒸れが生じやすい一方、このようなレッグウェアを着用しても冬場などには踵が乾燥し、かさつきや荒れなどの肌トラブルが生じやすいという問題もある。
【先行技術文献】
【特許文献】
【０００４】
【特許文献１】特許第２８２２０９０号公報
【発明の概要】
【発明が解決しようとする課題】
【０００５】
本発明は、緊締力を有するレッグウェアでありながら脚の動きに追従しやすく、膝裏の蒸れや踵の乾燥も防止できることを課題としている。
【課題を解決するための手段】
【０００６】
前記課題を解決するため、本発明は、爪先部が無く、踵から膝上方位置までのレッグ部のみからなり、脚の静脈還流を促進して脚のむくみ除去・低減用として就寝時に着用されるものであり、
膝部、膝裏部および踵部を除く部分は地編み部に弾性糸を挿入して１０〜１８ｈＰａの緊締力を有する伸縮性編地からなる緊締部とし、該緊締部の足首部の緊締力は１５〜１８ｈＰａ、ふくらはぎ部の緊締力は１０〜１４ｈＰａの緊締力を有するものとし、
前記膝部は他の部位より伸び率を大とした高伸縮性編地とし、編組織は立体編みとして膝の形状に合わせて膨出させ、
前記膝裏部は他の部位より通気性を大とした高通気性編地とし、
前記踵部は他の部位より気密性を大とした高気密性部位とし、該高気密性部位は前記伸縮性編地の肌側内面側あるいは外側面に隙間をあけて樹脂層を接着し、または前記伸縮性編地に樹脂を含浸させて形成していることを特徴とするレッグウェアを提供している。
【０００８】
緊締力を足首部で１５〜１８ｈＰａ、ふくらはぎ部で１０〜１４ｈＰａと足首からふくらはぎへと脚の着圧を弱めることにより、脚のむくみや疲れを低減・解消することに役立てることができる。
【０００９】
また、爪先部が無いとすることで、就寝時における爪先部に蒸れを生じさせないようにしている。かつ、本発明のレッグウェアを着用して就寝する際に圧迫感を発生させないために、最もむくみが発生しやすい踵から膝上方位置までを覆うようにしている。
【００１０】
本発明の緊締力を持たせたレッグウェアを就寝時に着用することにより、静脈還流を促進して脚のむくみの除去や低減に効果があると共に、膝部を高伸縮性編地で形成しているため寝返り等に伴う脚の動きを阻害することがない。また、膝裏部を高通気性編地で編成しているため、暖かい布団の中でも膝裏部に蒸れを感じることもない。したがって、本発明のレッグウェアを着用しながら快適な睡眠をとることができる。また、踵部に高気密性部位を設けているため、就寝中に踵の保湿ケアも行うことができる。
【００１１】
なお、本発明のレッグウェアは、爪先部が無く、踵から膝上までのレッグ部のみの覆う構成とすることが好ましいが、該構成に限定されず、レッグ部とパンティ部とを備えたものであってもよいし、爪先部を設けたものであってもよい。
【００１２】
本発明のレッグウェアにおいて、膝部の伸び率の良い高伸縮性編地は、膝全体を覆うことができるように円形状あるいは長円状とすることが好ましく、編組織としては圧迫感なく立体編みになる半回転編みをした組織としている。前記高伸縮性編地の形状を立体編みにより膝の形状に合わせた膨出形状とすることにより、フィット感を損なうことなく膝への圧迫感を低減し、脚の動きに対する追従性をさらに高めることができる。
【００１３】
また、本発明のレッグウェアでは、前記のように、膝裏部は他の部位より通気性を大とした高通気性編地で膝裏部を形成しているため、長時間着用していても膝裏に蒸れを感じず快適な着用感を保つことができる。
膝裏部を形成する高通気性編地の編組織としては、メッシュ編組織や浮き編組織、タック編組織など、編目の空隙を大きくする編組織が好ましく、編成に用いられる糸としては、例えば、繊度が１５０〜２５０デシテックス程度の綿混糸などが挙げられる。また、所要の緊締力を保持させるために、前記編組織からなる編地にポリウレタン糸やゴム糸などの弾性糸を挿入している。
【００１４】
さらに、本発明のレッグウェアでは前記のように、踵部にアクリル樹脂等でプリントを施す事により、他の部位よりも気密性を大とした高気密性部位としているため、本発明のレッグウェアを着用するだけで踵の乾燥を防ぎ、踵のかさつきや角質化、ひび割れなどの肌トラブルを防止することができる。
【００１５】
前記踵部の高気密性部位は伸縮性編地の肌側内面側または外面側に樹脂層を設けている。
【００１６】
前記のように、踵部の高気密性部位として、伸縮性編地の肌側内面側あるいは外側面に樹脂層を設けることにより、前記樹脂が伸縮性編地の編目の空隙を塞ぎ、肌側の水分が外部に放散されるのを防止することができる。
【００１７】
前記樹脂層をアクリル樹脂から形成すると共に、前記樹脂層は踵部の幅方向を長さ方向とする帯状とし、該帯状の樹脂層を前記踵部の前後方向に隙間をあけて複数本配置していることが好ましい。
【００１８】
前記のように、樹脂層をアクリル樹脂から形成するのが好ましいのは、アクリル樹脂は皮膚への刺激が少ないためである。また、アクリル樹脂は、湿潤な状態でも編地との接着力が低下しにくいため、アクリル樹脂からなる樹脂層は、長期にわたって編地から剥離することなく編地の伸縮に滑らかに追従することができる。
【００１９】
また、前記のように、踵部の幅方向を長さ方向とした帯状の樹脂層を踵部の前後方向に隙間をあけて複数本配置することによって、レッグウェアを着用した際、前記帯状の樹脂層が伸縮性編地と共に大きく伸長し、踵の外縁部分を含めた踵の大部分を樹脂層で覆うことができる。よって、かさつきや角質化などが発生しやすい踵の外縁部分も十分な潤いを保つことができる。また、前記帯状の樹脂層を踵部の前後方向に隙間をあけて配置することにより、過剰な水分を前記隙間から放散することも可能となり、適度な湿度を保ってべたつきのない快適な着用感を維持することができる。
【００２０】
前記帯状の樹脂層の幅を６〜１２ｍｍ程度とし、帯状の樹脂層間の隙間の幅を２〜４ｍｍ程度とすることが好ましい。また、帯状の樹脂層の長さは、レッグウェアを着用した際に踵の外縁部分まで樹脂層で覆うことができるように踵部の形状、大きさに合わせて適宜設定することが好ましい。さらに、帯状の樹脂層の厚さは３００〜５００μｍ程度とすることが好ましい。なお、前記した数値は、いずれも樹脂層に負荷が加えられていない状態での値である。
【００２１】
前記踵部の伸縮性編地の編組織としては、前記膝部、膝裏部以外の部位と同様の編組織としてもよいし、前記膝部と同様の編組織としてもよい。
前記膝部、膝裏部および踵部以外の部位の緊締部の編組織としては、例えば、プレーン編みやリブ編みなどからなる編地（地編み部）に、ポリウレタン糸やゴム糸などの弾性糸を挿入して緊締力を持たせた編組織としている。前記地編み部の編成に用いられる糸としては、１５０〜２５０デシテックスのポリウレタン糸を芯糸とし３０〜５０デシテックスのナイロン糸を前記芯糸の外周に巻きつけたカバリング糸（シングルカバリング糸、ダブルカバリング糸）を用いることが好ましい。また、前記膝部、膝裏部、踵部以外の部位の着圧は、全長にわたって同程度としてもよいし、あるいは、足首側から大腿側にむけて編み密度を順次下げて、着圧を段階的に下げていくものであってもよい。本発明では、前記のように、足首部で１５〜１８ｈＰａ、ふくらはぎ部で１０〜１４ｈＰａとしている。
【発明の効果】
【００２２】
前述したように、本発明の脚のむくみ低減・解消用として着用されるレッグウェアでは、他の部位より伸びやすくした高伸縮性編地で膝部を形成しているため、緊締力を持たせたレッグウェアでありながら、屈伸などの脚の動きに対する追従性を高めることができる。また、他の部位より通気性を大とした高通気性編地で膝裏部を形成しているため、膝裏に蒸れを感じず快適な着用感を保つことができる。さらに、踵部を、他の部位よりも気密性を大とした高気密性部位としているため、踵の保湿性を高め、かさつきや角質化、ひび割れなどの肌トラブルを防止することができる。
【図面の簡単な説明】
【００２３】
【図１】本実施形態のレッグウェアの片足側を示す概略平面図である。
【図２】膝部を示す要部拡大図である。
【図３】膝裏部を示す要部拡大図である。
【図４】踵部の肌側内面側を示す要部拡大図である。
【図５】従来例を示す図である。
【発明を実施するための形態】
【００２４】
以下、本発明の実施形態を図面を参照して説明する。
図１乃至図４に本発明の実施形態のレッグウェア１０を示す。
【００２５】
図１に示すレッグウェア１０は、就寝時に着用されるむくみ除去・低減用のレッグウェアであり、膝上方位置までのレッグ部１１のみからなり、爪先部を設けていない。レッグ部１１は、緊締力を有する伸縮性編地からなり、膝部１２、膝裏部１３、踵部１４および前記部位１２、１３、１４以外の緊締部１５から構成している。前記緊締部１５の上下端にはそれぞれ袋編みされた履き口部１６、足先部１７を設けており、本実施形態では、上端の履き口部１６から下端の足先部１７まで通常の靴下丸編機（図示せず）を用いて編成している。
【００２６】
緊締部１５は、鹿の子編みからなる編地にポリウレタン糸やゴム糸などの弾性糸を挿入して緊締力を持たせた編組織とし、前記鹿の子編みからなる編地の編成には、２００デシテックス程度のレーヨン・シルク混を表糸とし、裏糸に１７０デシテックスのポリエステル糸を用いている。また、挿入糸には１８０デシテックスのポリウレタンに４５デシテックスのナイロンをダブルカバリングしたものを用いている。本実施形態では、緊締部１５の着圧を足首部で１７ｈＰａ程度、ふくらはぎ部で１３ｈＰａ程度とすることにより、脚のむくみや疲れを低減・解消することに役立てることができる。すなわち、足首側から膝上方側にむけて編み密度を順次下げることにより着圧を段階的に下げていくものである。
【００２７】
膝部１２は、他の部位である膝裏部１３、踵部１４、緊締部１５よりも伸縮性を大とした高伸縮性編地で形成している。膝部１２に設ける高伸縮性編地は、図２に示すように、立体編みにより膝の形状に合わせた長円状の膨出形状とし、膝へのフィット性を損なうことなく膝への圧迫力を低減している。膝部１２を形成する高伸縮性編地の編組織には、繊度が２００デシテックス程度のレーヨン・シルク混を表糸とし、裏糸に１７０デシテックスのポリエステル糸を用いている。なお、緊締部１５のような挿入編みは行っていない。
【００２８】
膝裏部１３は、他の部位である膝部１２、踵部１４、緊締部１５よりも通気性を大とした高通気性編地で形成している。膝裏部１３の高通気性編地は、繊度が２００デシテックス程度のレーヨン・シルク混を表糸とし、裏糸に１７０デシテックスのポリエステル糸を用いた編地に、緊締部１５と同様の挿入糸を挿入した編組織としている。膝裏部１３の形状は膝裏を覆うことができれば特に限定されず、意匠的な形状とすることもできる。本実施形態では図３のようにハート型としている。
【００２９】
踵部１４は、他の部位である膝部１２、膝裏部１３、緊締部１５よりも気密性を大とした高気密性部位としている。具体的には、踵部１４の伸縮性編地を膝部１２と同様の編み糸、編組織で編成し、図４のように、踵部１４の伸縮性編地の肌側内面側にアクリル樹脂からなる樹脂層１８ａ〜１８ｆを設けている。樹脂層１８ａ〜１８ｆは踵部１４の幅方向を長さ方向とする帯状とし、６本の樹脂層１８ａ〜１８ｆを踵部１４の前後方向に隙間１９をあけて配置している。本実施形態では、樹脂層１８ａ〜１８ｆの幅を１０ｍｍ程度、樹脂層間の隙間１９の幅を２ｍｍ程度とし、配置した樹脂層１８ａ〜１８ｆの全体形状が長円状になるように配置している。
【００３０】
樹脂層１８ａ〜１８ｆの形成はレッグウェア１０の編成終了後に行う。具体的には、アクリル樹脂エマルジョン（株式会社ヒガシ化学製「ラジテックスＶＬ−５０１Ｃ」）を踵部１４の伸縮性編地の肌側内面側に前記位置関係でプリントし、１００度に加熱し４０秒間熱を加えて、アクリル樹脂を伸縮性編地に接着させた後、冷却固化させることにより、厚さ４００μｍ程度の樹脂層１８ａ〜１８ｆを伸縮性編地に形成している。
【００３１】
前記のように、他の部位（１３、１４、１５）より伸縮性を大とした高伸縮性編地で膝部１２を形成しているため、緊締力を持たせたレッグウェア１０でありながら、屈伸などの脚の動きに対する追従性を高めることができる。
また、他の部位（１２、１４、１５）より通気性を大とした高通気性編地で膝裏部１３を形成しているため、膝裏に蒸れを感じず快適な着用感を保つことができる。
さらに、踵部１４を、他の部位（１２、１３、１５）より気密性を大とした高気密性部位としているため、踵の乾燥を防止し、かさつきや角質化、ひび割れなどの肌トラブルを防止することができる。
【００３２】
特に、本実施形態のレッグウェア１０を就寝時に着用することにより、静脈還流を促進して脚のむくみの除去や低減に効果があると共に、膝部１２を高伸縮性編地で形成しているため寝返り等に伴う脚の動きを阻害することがない。また、膝裏部１３を高通気性編地で形成しているため、暖かい布団の中でも膝裏部に蒸れを感じることもない。したがって、本実施形態のレッグウェア１０を着用しながら快適な睡眠をとることができる。また、踵部１４を高気密性部位としているため、就寝中に踵の保湿ケアも行うことができる。
【００３３】
また、前記のように、踵部１４の高気密性部位として、伸縮性編地の肌側内面側に樹脂層１８ａ〜１８ｆを設けることにより、前記樹脂が伸縮性編地の編目ループの空隙を塞ぎ、肌側の水分が外部に放散されるのを防止することができる。
さらに、前記樹脂層１８ａ〜１８ｆをアクリル樹脂から形成することにより、皮膚への刺激を抑制し、保湿性をより高めることができる。また、伸縮性に富んだアクリル樹脂は湿潤な状態でも編地との接着力が低下しにくいため、アクリル樹脂からなる樹脂層１８ａ〜１８ｆは、長期にわたって編地から剥離することなく編地の伸縮に滑らかに追従することができる。
【００３４】
また、前記のように、踵部１４の幅方向を長さ方向とした帯状の樹脂層１８ａ〜１８ｆを踵部１４の前後方向に隙間１９をあけて複数本配置することによって、レッグウェア１０を着用した際、帯状の樹脂層１８ａ〜１８ｆが伸縮性編地と共に大きく伸長し、踵の外縁部分を含めた踵の大部分を樹脂層１８ａ〜１８ｆで覆うことができる。よって、かさつきや角質化などが発生しやすい踵の外縁部分も十分な潤いを保つことができる。また、帯状の樹脂層１８ａ〜１８ｆを踵部１４の前後方向に隙間１９をあけて配置することにより、過剰な水分を隙間１９から放散することも可能となり、適度な湿度を保ってべたつきのない快適な着用感を維持することができる。
【００３５】
なお、本実施形態のレッグウェア１０では、踵部１４の伸縮性編地の内面にアクリル樹脂からなる樹脂層１８ａ〜１８ｆを設けているが、伸縮性編地の外面に樹脂層を設けてもよい。また、樹脂層１８ａ〜１８ｆを設ける代わりに、伸縮性編地にアクリル樹脂を含浸させておいてもよい。さらに、本実施形態のレッグウェア１０は爪先部の無いレッグ部１１のみから構成しているが、レッグ部とパンティ部とを備えたものであってもよいし、爪先部を設けたものであってもよい。
【符号の説明】
【００３６】
１０  レッグウェア
１１  レッグ部
１２  膝部
１３  膝裏部
１４  踵部
１５  緊締部
１６  履き口部
１７  足先部
１８ａ〜１８ｆ  樹脂層
１９  隙間
【図１】
0005524587.tif 000002
【図２】
0005524587.tif 000003
【図３】
0005524587.tif 000004
【図４】
0005524587.tif 000005
【図５】
0005524587.tif 000006